(57)【要約】【課題】本考案は新技術を導入することにより新たなゲーム体験ができる遊技機の提供を目的とする。【解決手段】高低両端縁を有する正面に設けられる複数の釘を用いて、該正面の高端縁側から落ちてくるパチンコ玉の複数の落下経路を画成する遊技盤と、前記パチンコ玉の前記遊技盤における動きが所定の入賞条件を達成すると所定の入賞プロセスを実行する制御装置とを備えた遊技機であって、前記遊技盤の正面側に、前記制御装置の制御により透明モードと画面表示モードとに切り替えられることができる透明ディスプレイパネルが配置され、更に前記透明ディスプレイパネルの正面側に、前記透明ディスプレイパネルの前記透明モードと画面表示モードとの切り替え命令を前記制御装置に入力することができる上、透明になっているタッチパネルが配置されていることを特徴とする遊技機を提供する。【選択図】図２
0003162116.tif 000002
【実用新案登録請求の範囲】
【請求項１】
その高低両端縁を有する正面に設けられる複数の釘を用いて、該正面の高端縁側から落ちてくるパチンコ玉の複数の落下経路を画成する遊技盤と、前記パチンコ玉の前記遊技盤における動きが所定の入賞条件を達成すると所定の入賞プロセスを実行する制御装置とを備えた遊技機であって、
前記遊技盤の正面側に、前記制御装置の制御により透明モードと画面表示モードとに切り替えられることができる透明ディスプレイパネルが配置され、更に前記透明ディスプレイパネルの正面側に、前記透明ディスプレイパネルの前記透明モードと画面表示モードとの切り替え命令を前記制御装置に入力することができる上、透明になっているタッチパネルが配置されていることを特徴とする遊技機。
【請求項２】
前記制御装置は、更に、前記入賞プロセスを実行すると同時に、前記透明ディスプレイパネルを前記画面表示モードに切り替える制御をも実行する構成になっていることを特徴とする請求項１の遊技機。
【請求項３】
前記透明ディスプレイパネルは、透明導電フィルムを有する薄膜型エレクトロルミネセンスディスプレイからなっていることを特徴とする請求項１または請求項２に記載の遊技機。
【考案の詳細な説明】
【技術分野】
【０００１】
本考案は遊技機に関し、特に、新たなゲーム体験ができる遊技機に関する。
【背景技術】
【０００２】
図４に示されているパチンコマシンと呼ばれる従来の玉入れ遊技機では、操作ノブ９６により制御される強さで打ち上げられたパチンコ玉を落下途中で各所に配置された障害釘９２で弾き、入賞口９３に入るようにするゲームのほかに、表示パネル９４の独自の演出や、ミニゲームを楽しめたりする機能を有している。
このように、パチンコマシンには玉入れゲームのみではなく、新しい演出や技術を取り入れるなど、機能の強化が常に求められている。
【考案の概要】
【考案が解決しようとする課題】
【０００３】
従って、本考案は新技術を導入することにより新たなゲーム体験ができる遊技機の提供を目的とする。
【課題を解決するための手段】
【０００４】
上記課題を達成すべく、本考案は、その高低両端縁を有する正面に設けられる複数の釘を用いて、該正面の高端縁側から落ちてくるパチンコ玉の複数の落下経路を画成する遊技盤と、前記パチンコ玉の前記遊技盤における動きが所定の入賞条件を達成すると所定の入賞プロセスを実行する制御装置とを備えた遊技機であって、前記遊技盤の正面側に、前記制御装置の制御により透明モードと画面表示モードとに切り替えられることができる透明ディスプレイパネルが配置され、更に前記透明ディスプレイパネルの前記正面側に、少なくとも前記透明ディスプレイパネルの前記透明モードと画面表示モードとの切り替え命令を前記制御装置に入力することができる上、透明になっているタッチパネルが配置されていることを特徴とする遊技機を提供する。
【０００５】
上記本考案の遊技機において、前記制御装置は、更に、前記入賞プロセスを実行すると同時に、前記透明ディスプレイパネルを前記画面表示モードに切り替える制御をも実行する構成になっていることが好ましい。
【０００６】
上記本考案の遊技機において、前記透明ディスプレイパネルは、透明導電フィルムを有する薄膜型エレクトロルミネセンスディスプレイからなっていることが好ましい。
【考案の効果】
【０００７】
上記構成により、本考案の遊技機は、新しい表示手段として透明ディスプレイパネルを追加した上、新しい操作方法を提示できるタッチパネルをも取り入れることによって、新しいゲーム体験を提供することができる。
【図面の簡単な説明】
【０００８】
【図１】本考案の遊技機の第１の実施形態の一部構成が示されている斜視図である。
【図２】図１に示されている一部構成の分解図である。
【図３】本考案の遊技機の第２の実施形態の一部構成が示されている分解図である。
【図４】従来の遊技機の正面構成が示されている模示図である。
【考案を実施するための形態】
【０００９】
以下は図１〜図３を参照しながら、本考案の遊技機の二つの好ましい実施形態について説明する。
【００１０】
まず、図１に示されているのは本考案の遊技機の第１の実施形態の一部構成であり、図２に示されているのはその分解図である。
【００１１】
本考案の遊技機の第１の実施形態は、従来の遊技機と同様に、その高低両端縁を有する正面に設けられる複数の釘を用いて、該正面の高端縁側から落ちてくるパチンコ玉の複数の落下経路を画成する遊技盤と、前記パチンコ玉の前記遊技盤における動きが所定の入賞条件を達成すると所定の入賞プロセスを実行する制御装置とを備えており、図示のように、正面フレーム２１と、透明になっているタッチパネル３と、透明ディスプレイパネル４と、パチンコ玉を弾くことによってその落下経路を複数に画成する複数の障害釘１３及びパチンコ玉が進入できる複数の入賞口１１２とが配置されている前記遊技盤１とが、正面側から背面側へと順番に並んで組み立てられている上、前記制御手段としてのマザーボード５を有している。マザーボード５は、位置の制限がなく、全体の構成や都合に応じて配置されれば良い。
【００１２】
透明ディスプレイパネル４は、マザーボード５の制御により透明モードと画面表示モードとに切り替えられることができ、画面表示モードでは、通常の画像表示や動画演出ができる上、例えば図１に示されているように、画面表示モードにおいて不透明画像４１、４２を表示することによって、背面側の障害釘１３や入賞口１１２を遮蔽したり、マザーボード５が入賞プロセスを実行すると同時に、透明ディスプレイパネル４を画面表示モードに切り替える制御をも実行して入賞演出を表示したりしてゲームの多様性を高めることができる。
【００１３】
透明ディスプレイパネル４として、透明導電フィルムを有する薄膜型エレクトロルミネセンスディスプレイを採用することが好ましいが、液晶ディスプレイや、有機エレクトロルミネンスディスプレイなどを採用することもできる。
【００１４】
タッチパネル３はタッチされる位置や力加減に応じて異なる制御信号をマザーボード５に出力するので、マザーボード５はその異なる制御信号に対応して、透明ディスプレイパネル４の透明モードと画面表示モードとの切り替えや、画像の表示、パチンコ玉を射出する力の強さの調整など、様々な制御を行うことができる。例えば、タッチパネル３及び透明ディスプレイパネル４を利用して、使用者がタッチパネル３でミニゲームをすることなども可能である。
【００１５】
図３は本考案の遊技機の第２の実施形態の一部構成の分解図である。
図示されているように、本考案の遊技機の第２の実施形態は、第１の実施形態と類似する構成になっているが、その遊技盤１Ａの構成が第１の実施形態と異なる上、背面側にもサブディスプレイパネル６が配置されている。以下はその相違点、即ち遊技盤１Ａ及びサブディスプレイパネル６の構成について説明する。
【００１６】
遊技盤１Ａには、透明部材料からなる透明部１２と、不透明部材料からなる不透明部１１Ａとを有し、透明部１２には透明材料からなる透明釘１４が凸設されている。
【００１７】
サブディスプレイパネル６は、遊技盤１Ａの透明部１２に対応する位置に配置され、透明部材料からなる透明部１２を経由してその表示が見られるようになっている。透明釘１４は透明材料からなっているので、サブディスプレイパネル６に表示した画像に対する影響を軽減することができる。
【００１８】
この構成により、透明ディスプレイパネル４とサブディスプレイパネル６が対応しあう画像表示ができ、使用者に新たなゲーム体験を提供することができる。
【産業上の利用可能性】
【００１９】
上記構成により、本考案の遊技機は、新しい表示手段として透明ディスプレイパネルを追加した上、新しい操作方法を提示できるタッチパネルをも取り入れることによって、新しいゲーム体験を提供することができる。
【符号の説明】
【００２０】
１    遊技盤
１Ａ    遊技盤
３    タッチパネル
４    透明ディスプレイパネル
５    マザーボード
６    サブディスプレイパネル
１１Ａ    不透明部
１２    透明部
１３    障害釘
１４    透明釘
２１    正面フレーム
４１    不透明画像
４２    不透明画像
１１２    入賞口
【図１】
0003162116.tif 000003
【図２】
0003162116.tif 000004
【図３】
0003162116.tif 000005
【図４】
0003162116.tif 000006